(57)【要約】【課題】高い機械的強度と良好な捕捉性能を兼ね備えた防潮板及び防潮用フェンスを提供する。【解決手段】多数の通気孔４ａを有する金属等の剛性材料からなる有孔板４と、天然繊維、化学繊維又はそれらを混合した繊維で不織布状に形成されたフィルター５とを積層して防潮板３を構成する。【選択図】      図６
2006207130.tif 000002
【特許請求の範囲】
【請求項１】
海岸線に沿って適宜間隔を置いて立設された支柱に取り付けられ、海側から吹いてくる風に含まれる海水飛沫を補足する防潮板であって、
多数の通気孔を有する金属等の剛性材料からなる有孔板と、化学繊維、天然繊維又はそれらを混合した繊維で不織布状に形成されたフィルターとを積層してなることを特徴とする防潮板。
【請求項２】
上記フィルターは、上記有孔板に着脱可能に取り付けられていることを特徴とする請求項１に記載の防潮板。
【請求項３】
上記フィルターが上記有孔板と通気性を有する保持部材との間にサンドイッチ状に挟持されているとともに、上記有孔板と上記保持部材とが着脱可能に連結されていることを特徴とする請求項２に記載の防潮板。
【請求項４】
上記保持部材は、多数の線材で網状に形成されたメッシュパネルからなることを特徴とする請求項３に記載の防潮板。
【請求項５】
水平方向に延長した山部と谷部が上下方向に交互に連接した波形状に折り曲げ形成されたことを特徴とする請求項１乃至請求項４のいずれかに記載の防潮板。
【請求項６】
海岸線に沿って複数の支柱が適宜間隔を置いて立設された支柱に、海側から吹いてくる風に含まれる海水飛沫を捕捉する防潮板を取り付けた防潮用フェンスにおいて、
上記防潮板が、多数の通気孔を有する金属等の剛性材料からなる有孔板と、化学繊維、天然繊維又はそれらを混合した繊維で不織布状に形成されたフィルターとを積層してなることを特徴とする防潮用フェンス。
【請求項７】
上記防潮板は、上記フィルターが海側に面するように積層されていることを特徴とする請求項６に記載の防潮用フェンス。
【請求項８】
上記防潮板は、水平方向に延長した山部と谷部とが上下方向に交互に連接した波形状に折り曲げ形成され、かつ、その山部が陸側に面するように取り付けられていることを特徴とする請求項６又は請求項７に記載の防潮用フェンス。
【請求項９】
上記防潮板が、上記支柱に前後方向に所定の間隔をおいて前後２列に、かつ、それぞれ上下方向に所定の間隔をおいて数段に設けられるとともに、前列の防潮板と後列の防潮板とが、互いに上下方向に所定のピッチだけずれて千鳥状に配置されていることを特徴とする請求項６乃至請求項８のいずれかに記載の防潮用フェンス。
【請求項１０】
最下段の防潮板と地面との間に、隙間を覆う硬質合成樹脂等の剛性材料からなる透明又は半透明な無孔板又は有孔板が取り付けられていることを特徴とする請求項６乃至請求項９のいずれかに記載の防潮用フェンス。
【請求項１１】
最上段の防潮板上に、風を海側に誘導する吹き上がり受けが海側に突出するように取り付けられていることを特徴とする請求項６乃至請求項１０のいずれかに記載の防潮用フェンス。
【発明の詳細な説明】
【技術分野】
【０００１】
本発明は、海岸線に沿って設置され、波しぶき等により発生する海塩粒子を含んだ海水飛沫が周辺民家に飛来するのを防止する防潮板及び防潮用フェンスに関するものである。
【背景技術】
【０００２】
防風や防雪を目的に設置されるフェンスとしては、例えば、特許文献１において、多数の小孔を穿設した折板状の防雪板を支柱に取り付けて形成した防雪柵が開示されている。かかる防雪柵は、強風に耐えるのに充分な機械的強度を有するとともに、吹雪等の際の雪を防ぐのには有効であるが、飛沫が小孔を透過するために飛沫を捕捉するには不適当なものであった。
【０００３】
一方、飛沫を捕捉し得るものとしては、例えば、特許文献２において、繊維状の合成樹脂により不織布状に形成されたフェンス用パネルが開示されている。
【０００４】
【特許文献１】実開昭５９−９２７１４号公報
【特許文献２】特開昭６１−２９４０７２号公報
【発明の開示】
【発明が解決しようとする課題】
【０００５】
しかしながら、特許文献２に記載のフェンス用パネルは、飛沫を捕捉するには有効である反面、繊維状の合成樹脂により不織布状に形成されているために機械的強度が弱く、海側から非常に強い風が吹いてくる場合がある海岸線に設置するフェンス用パネルとして使用するには不適当なものであった。
【０００６】
本発明は、上記の如き問題に鑑みてなされたものであり、高い機械的強度と良好な捕捉性能を兼ね備える防潮板及び防潮用フェンスを提供する。
【課題を解決するための手段】
【０００７】
即ち、本発明は、海岸線に沿って適宜間隔を置いて立設された支柱に取り付けられ、海側から吹いてくる風に含まれる海水飛沫を補足する防潮板であって、多数の通気孔を有する金属等の剛性材料からなる多孔板と、天然繊維、化学繊維又はそれらを混合した繊維で不織布状に形成されたフィルターとを積層してなることを特徴とする防潮板である。
【０００８】
上記構成により、海側から吹いてきた風が、メッシュパネルの線材間を通り抜けてフィルターを透過するので、風がフィルターを透過する際に、風中に含まれる海水飛沫がフィルターに付着して捕捉される。剛性材料からなる有孔板にフィルターを積層することで、有孔板が補強部材となって充分な機械的強度を得ることができるとともに、捕捉性能に優れたフィルターにより飛沫を捕捉することができるので、高い機械的強度と良好な捕捉性能とを兼ね備えることができる。
【０００９】
また、本発明の防潮板においては、上記フィルターは、上記有孔板に着脱可能に取り付けられることが好ましい。これにより、フィルターを有孔板から取り外すことができるので、フィルターが目詰まりした場合でも、フィルターを新しいものと交換したり、洗浄して再度利用することができる。
【００１０】
また、本発明の防潮板において、上記フィルターが上記有孔板と通気性を有する保持部材との間にサンドイッチ状に挟持されているとともに、上記有孔板と上記保持部材とが着脱可能に連結されていることが好ましい。これにより、フィルターを有孔板に直接に取り付ける必要がなくなり、支柱に有孔板を取り付けておくことで、有孔板を取り外さずにフィルターを取り外すことができ、フィルターの交換が容易である。
【００１１】
また、本発明の防潮板において、上記保持部材が、多数の線材で網状に形成されたメッシュパネルからなることが好ましい。これにより、海側から吹いてきた風が防潮板に当たると、その風は、メッシュパネルの線材間を容易に通り抜けることになり、フィルター内での通風が促進される。
【００１２】
また、本発明の防潮板において、水平方向に延長した山部と谷部が上下方向に交互に連接した波形状に折り曲げ形成することが好ましい。これにより、防潮板の機械的強度を更に向上できるとともに、防潮板の表面積を増大できる。従って、高い機械的強度を得ることができるとともに、海側から吹いてくる風との接触面積が増大して効果的な捕捉が行える。
【００１３】
また、本発明は、海岸線に沿って複数の支柱が適宜間隔を置いて立設された支柱に、海側から吹いてくる潮風に含まれる海水飛沫を捕捉する防潮板を取り付けた防潮用フェンスにおいて、上記防潮板が、多数の通気孔を有する金属等の剛性材料からなる有孔板と、化学繊維、天然繊維又はそれらを混合した繊維で不織布状に形成されたフィルターとを積層してなることを特徴とする防潮用フェンスである。
【００１４】
上記構成により、海側から吹いてきた風が、メッシュパネルの線材間を通り抜けてフィルターを透過するので、風がフィルターを透過する際に、風に含まれる海水飛沫がフィルターに付着して捕捉される。防潮板を剛性材料からなる有孔板にフィルターを積層して構成することで、有孔板が補強部材となって充分な機械的強度を得ることができるとともに、捕捉性能に優れたフィルターにより飛沫を捕捉することができるので、防潮板に高い機械的強度と良好な捕捉性能とを兼ね備えることができる。
【００１５】
本発明の防潮用フェンスにおいて、上記防潮板は、上記フィルターが海側に面するように積層されることが好ましい。これにより、防潮板は、フィルターに海水飛沫が捕捉されるのに有孔板が邪魔になることがなく、また、フィルターの表面の凹凸が下方から上方に吹き上がる風に対する抵抗となり海水飛沫の乗り越えを低減することができる。
【００１６】
また、本発明の防潮用フェンスにおいて、上記防潮板は、水平方向に延長した山部と谷部とが上下方向に交互に連接した波形状に折り曲げ形成され、かつ、その谷部が海側に面するように取り付けられることが好ましい。これにより、海側から吹いてきた風が山部に当たって谷部に流れると、谷部で強い乱流が発生して風が滞留することで風に含まれる海水飛沫がフィルターに捕捉される割合を高くすることができる。
【００１７】
また、本発明の防潮用フェンスにおいて、上記防潮板が、上記支柱の前後方向に所定の間隔をおいて前後２列に、かつ、それぞれ上下方向に所定の間隔をおいて数段に設けられるとともに、前列の防潮板と後列の防潮板とが、互いに上下方向に所定のピッチだけずれて千鳥状に配置されることが好ましい。これにより、海側から吹いてきた風が前列の防潮板の間を通り抜け、この風が防潮板の間を通り抜ける際に増速し、この増速によって防潮板に当たった風が前列の防潮板の間に誘導されることにより、上方への風の吹き上がりを防止できる。
【００１８】
また、本発明の防潮用フェンスにおいては、最下段の防潮板と地面との間に、隙間を覆う硬質合成樹脂等の剛性材料からなる透明又は半透明な無孔板又は有孔板が取り付けられることが好ましい。これにより、透明又は半透明な無孔板又は有孔板によって陸側より海側を見通すことができ、海岸線の様子を眺望することが可能である。
【００１９】
更に、本発明の防潮用フェンスにおいては、最上段の防潮板上に、風を海側に誘導する吹き上がり受けが海側に突出するように取り付けられることが好ましい。これにより、海側から吹いてきた風が防潮板に当たって上方に吹き上がっても、その風を吹き上がり受けにより海側へ誘導させることにより、吹き上がった風が防潮用フェンスを乗り越えて陸側へ浸入するのを防止できる。
【発明の効果】
【００２０】
本発明によれば、防潮板に高い機械的強度と良好な捕捉性能とを兼ね備えさせることができるとともに、防潮板のフィルターのみを交換して長期間に亘る使用においても良好な透過性能を維持できて海水飛沫を継続して捕捉できる。
【発明を実施するための最良の形態】
【００２１】
以下、本発明の実施の形態について図面に基づいて詳細に説明する。図１は本発明に係る防潮用フェンスの一実施の形態を示した海側から見た正面図、図２はその横断面図、図３は図１の主要部分の拡大正面図、図４は図１の主要部分の拡大平面図である。
【００２２】
図１乃至図４において、１は適宜間隔を置いて立設された支柱で、断面Ｈ型の金属製の型材よりなり、その下端部を基礎コンクリート２中に埋設して支持固定されている。支柱１には、海水飛沫に含まれる海塩粒子等によって腐食されないように溶融アルミニュウムめっき等の耐候性処理が施されている。
【００２３】
３は隣接する支柱１間に取り付けられた防潮板で、支柱１の前面壁１ａ及び後面壁１ｂに前後方向に所定の間隔をおいて前後２列に配置して取り付けられるとともに、前面壁１ａ及び後面壁１ｂにそれぞれ上下方向に所定の間隔をおいて数段に配置して取り付けられている。尚、ここでは、海側に面する支柱１の壁を前面壁１ａとし、陸側に面する支柱１の壁を後面壁１ｂとする。
【００２４】
支柱１の前面壁１ａに取り付けられる防潮板３と、支柱１の後面壁１ｂに取り付けられる防潮板３とは、互いに上下方向に所定のピッチだけずれて千鳥状に配置されている。尚、ここでは、支柱１の前面壁１ａに取り付けられる防潮板３の数と、支柱１の後面壁１ｂに取り付けられる防潮板３の数とを相違させている。本実施の形態では、支柱１の前面壁１ａに取り付けられる防潮板３が６つであり、支柱１の後面壁１ｂに取り付けられる防潮板３が５つである。
【００２５】
防潮板３は、図５及び図６に示すように、通気孔４ａを有する有孔板４と、海水飛沫を捕捉するフィルター５と、有孔板４にフィルター５を保持させるメッシュパネル６とを前後方向に積層し、これらを固着金具７、ボルト８及びナット９により一体的に連結して構成されている。防潮板３は、フィルター５が海側に面するように支柱１に取り付けられている。
【００２６】
有孔板４は、全面に多数の通気孔４ａが穿設された金属製または硬質合成樹脂製の板材により構成されており、その通気孔４ａを風が通り抜けるようになっている。有孔板４は、本実施の形態では、例えば、空隙率が約４２％程度に設定されている。有孔板４は、機械的強度を向上させるために、長手方向に延長した山部と谷部が上下方向に交互に連接する波形状に折り曲げ形成されている。尚、金属製の有孔板４の場合、海塩粒子等によって腐食されないように例えば溶融亜鉛アルミ合金めっき等の耐候性処理が施されている。
【００２７】
フィルター５は、例えばサラン繊維、ポリエステル繊維等の合成繊維を不織布状に形成したものであり、その内部全体には合成繊維同士の隙間によって形成された風が透過可能な連続空隙５ａを有している。この連続空隙５ａは、フィルター５の表面に連続し、しかも、迷路の如く複雑な方向性を持って連通しており、海水飛沫を含んだ風が透過すると、風中に含まれる海水飛沫を合成繊維に付着させて捕捉する機能を持っている。フィルター５は、本実施の形態では、合成繊維が２００〜５０００デニール程度、嵩密度３０〜５００ｋｇ／ｍ3程度、厚み５〜３０ｍｍ程度に設定されている。例えば、旭化成ライフ＆リビング株式会社製の商品名「サランロック」が使用される。
【００２８】
メッシュパネル６は、例えば、線材を縦横に互いに交叉するように組み合わせてその交点を抵抗溶接等により固着し、格子状の金網に形成されている。メッシュパネル６は、有孔板４と略同一の形状及び大きさになるように、長手方向に延長した山部と谷部が上下方向に交互に連接する波形状に折り曲げ形成されている。
【００２９】
防潮板３は、有孔板４、フィルター５及びメッシュパネル６を順次積層し、メッシュパネル６側に固着金具７をそのボルト孔７ａが有孔板４のボルト孔４ｂと相対するように沿わせ、固着金具７のボルト孔７ａ、フィルター５及び有孔板４のボルト孔４ｂにボルト８を挿通してナット９で締め付けて、有孔板４にメッシュパネル６を固着金具７、ボルト８及びナットを介して固定することにより、フィルター５を有孔板４とメッシュパネル６との間にサンドイッチ状に挟持させている。
【００３０】
防潮板３は、有孔板４の両側部を図示しない適宜の固定手段、例えば、ボルト・ナット等を介して支柱１の前面壁１ａ及び後面壁１ｂに固定することにより、支柱１に取り付けられている。
【００３１】
また、最下段の防潮板３と地面との間（海水飛沫が含まれる風が当たらない所）には、隙間を覆うように無孔板１０が支柱１間に取り付けられている。無孔板１０は、両側部を図示しない適宜の固定手段、例えば、ボルト・ナット等を介して支柱１の前面壁１ａに固定することにより、支柱１に取り付けられている。
【００３２】
無孔板１０は、例えば硬質合成樹脂等の剛性材料からなる透明又は半透明な板材により構成されており、陸側（海側）より海側（陸側）を見通すことが可能である。無孔板１０は、機械的強度を向上させるために、長手方向に延長した山部と谷部が上下方向に交互に連接した波形状に折り曲げ形成されている。
【００３３】
また、最上段の防潮板３上には、防潮板３の上端に沿って長手方向に吹き上がり受け１１が海側に突出するように傾斜状に取り付けられている。吹き上がり受け１１は、両側下端部を図示しない適宜の固定手段、例えば、ボルト・ナット等を介して支柱１の後面壁１ｂに固定することにより、支柱１に取り付けられている。
【００３４】
吹き上がり受け１１は、金属等の剛性材料からなる無孔板により構成されており、防潮板３に当たって上方に吹き上がった風を海側へ誘導させる。これにより、防潮板３に当たって上方に吹き上がった風が防潮用フェンスを乗り越えて陸側へ浸入するのを防止する。尚、金属製の吹き上がり受け１１の場合、海塩粒子等によって腐食されないように例えば溶融亜鉛アルミ合金めっき等の耐候性処理が施されている。
【００３５】
本実施の形態に係る防潮用フェンスは上記の如き構成からなっており、海岸線の堤防等の構造物に沿って設置される。そして、海側から吹いてきた風が防潮板３に当たると、その風は、メッシュパネル６の線材間を通り抜けてフィルター５内に流れ込み、フィルター５内の連続空隙５ａを透過して有孔板４の通気孔４ａを通り抜けて陸側に流れる。その際、海側から吹いてきた風がフィルター５の連続空隙５ａを透過することにより、風に含まれる海水飛沫がフィルター５の合成繊維に付着して捕捉されるため、海水飛沫が陸側の周辺民家に飛来するのを防止することができる。
【００３６】
本実施の形態では、防潮板３を、金属製又は硬質の合成樹脂製の有孔板４と、合成繊維による不織布状のフィルター５と、有孔板４及びフィルター５を保持するメッシュパネル６とを前後方向に積層して構成させたことで、有孔板４により強い風にも充分に耐えることができる高い機械的強度が得られるとともに、フィルター５を風に含まれる海水飛沫を良好に捕捉することができる。しかも、有孔板４にフィルター５を着脱可能に取り付けているので、支柱１から有孔板４を取り外さずにフィルター５を取り外すことができる。これにより、フィルター５の連続空隙５ａに海水飛沫に含まれる海塩粒子が目詰まりした場合でも、フィルター５を新しいものと交換したり、洗浄して再度利用することが可能となり、長期に亘る使用においても良好な透過性能を維持できて海水飛沫に含まれる海塩粒子を継続して捕捉することができる。
【００３７】
また、本実施の形態では、防潮板３を長手方向に延長した山部と谷部が上下方向に交互に連接した波形状に折り曲げ形成することにより、防潮板３は機械的強度が向上してより高い機械的強度が得られる。また、防潮板３を波形状に折り曲げ形成することで、防潮板３の表面積を増大することができ、これによって海側から吹いてくる風との接触面積を増大できて風に含まれる海水飛沫を効果的に捕捉することができる。
【００３８】
更に、本実施の形態では、防潮板３を、支柱１の前面壁１ａ及び後面壁１ｂに前後方向に所定の間隔をおいて前後２列に取り付けるとともに、支柱１の前面壁１ａ及び後面壁１ｂにそれぞれ上下方向に所定の間隔をおいて数段に取り付け、支柱１の前面壁１ａに取り付けられた防潮板３と、支柱１の後面壁１ｂに取り付けられた防潮板３とが、互いに上下方向に所定のピッチだけずれて千鳥状に配置されていることにより、海側から吹いてきた風を支柱１の前面壁１ａに取り付けられた防潮板３の間を通り抜けさせることができる。これにより、風が支柱１の前面壁１ａに取り付けられた防潮板３の間を通り抜ける際に増速し、この増速によって防潮板３に当たった風を、支柱１の後面壁１ｂに取り付けられた防潮板３の間に半強制的に誘導することにより、上方への風の吹き上がりを防止することができる。
【００３９】
以上説明した本実施の形態では、剛性材料からなる有孔板４と、合成繊維による不織布状のフィルター５と、有孔板４とともにフィルター５を挟持させるメッシュパネル６とから防潮板３を構成しているが、有孔板４とフィルターとから防潮板３を構成することも可能である。この場合、有孔板４にフィルター５を適宜の固定手段で着脱可能に固定すれば、フィルター５の連続空隙５ａに海水飛沫に含まれる海塩粒子が目詰まりした場合でも、フィルター５のみを交換することができる。
【００４０】
また、本実施の形態では、防潮板３を有孔板４が陸側に面するように取り付けているが、防潮板３を有孔板４が海側に面するように取り付けることも可能である。
【００４１】
また、本実施の形態では、フィルター５として合成繊維を使用したが、フィルター５として合成繊維以外の半合成繊維や再生繊維等の化学繊維を使用することもできる。また、植物繊維（例えば、綿、麻等）や動物繊維（例えば、羊毛等）の天然繊維を使用したり、適当な化学繊維と適当な天然繊維とを混合した繊維を使用することもできる。
【００４２】
また、本実施の形態では、防潮板３を波形状に折り曲げ形成するようにしているが、防潮板３を平面状に形成することも可能である。
【００４３】
また、本実施の形態では、支柱１の前面壁１ａに取り付けられる防潮板３が６つであり、支柱１の後面壁１ｂに取り付けられる防潮板３が５つであるが、これに限らず適宜増減することも可能であり、支柱１の前面壁１ａに取り付けられる防潮板３の数と、支柱１の後面壁１ｂに取り付けられる防潮板３の数を同数とすることも可能である。
【００４４】
また、本実施の形態では、最下段の防潮板３と地面との間に無孔板１０を取り付けるようにしているが、地面まで防潮板３を取り付けることも可能である。
【００４５】
また、本実施の形態では、最下段の防潮板３と地面との間に無孔板１０を取り付けるようにしているが、この部分に海水飛沫を含んだ風が吹き付けない場合は有孔板を取り付けることも可能である。
【００４６】
また、本実施の形態では、最上段の防潮板３上に吹き上がり受け１１を取り付けるようにしているが、吹き上がり受け１１を取り付けなくても構わない。
【図面の簡単な説明】
【００４７】
【図１】本発明の一実施の形態を示した正面図である。
【図２】図１の横断面図である。
【図３】図１の主要部分の拡大正面図である。
【図４】図１の主要部分の拡大平面図である。
【図５】防潮板の側面図である。
【図６】防潮板の分解図である。
【符号の説明】
【００４８】
１…支柱、１ａ…支柱の前面壁、１ｂ…支柱の後面壁、２…基礎コンクリート、３…防潮板、４…有孔板、４ａ…通気孔、５…フィルター、５ａ…連続空隙、６…メッシュパネル、７…固着金具、８…ボルト、９…ナット、１０…無孔板、１１…吹き上がり受け
【図１】
2006207130.tif 000003
【図２】
2006207130.tif 000004
【図３】
2006207130.tif 000005
【図４】
2006207130.tif 000006
【図５】
2006207130.tif 000007
【図６】
2006207130.tif 000008